(57)【要約】【課題】容易に取り付けることができ、簡易な構成を有し、さらに、操作し易い任意の位置へ自在に配置することができる車載用テレビチューナーを提供する。【解決手段】車載用テレビチューナー１０は、チューナー本体１１と、ステー１２と、プラグ１３とからなる。扁平箱形のケーシング１５に回路基板２５を収納して形成されるチューナー本体１１は、アンテナ１８で受信し、操作部１６で選局したデジタル通信方式のテレビジョン放送波をビデオ出力端子１７から出力する。ステー１２は、可撓性を有するアルミニウム合金からなる棒体から形成され、該ステーは、合成樹脂製の筒体を蛇腹状に形成したステーカバー１４に挿通されている。プラグ１３は、絶縁性を有する合成樹脂製の略中空円筒体からなる。そして、車載用テレビチューナー１０は、プラグ１３を車内に設けられたシガレットライターソケットに嵌合させて取り付けられる。【選択図】図１
2010028518.tif 000002
【特許請求の範囲】
【請求項１】
受信したデジタル通信方式によるテレビジョン放送が入力される入力手段と、該テレビジョン放送を視聴可能に復号変換して出力する出力手段と、放送チャンネルを選択する選択手段とを設けたチューナー本体を備えた車載用テレビチューナーであって、
前記チューナー本体を一端部で支持する可撓性のステーが設けられ、
該ステーの他端部に、車内に設けられたシガレットライターソケットに嵌合される円筒形状のプラグが形成されたことを特徴とする車載用テレビチューナー。
【請求項２】
前記ステーはアルミニウム合金からなる棒体又は管であることを特徴とする請求項１に記載の車載用テレビチューナー。
【請求項３】
前記チューナー本体と前記プラグにそれぞれ接地端子を形成し、該両接地端子を前記ステーの両端部に接合し、該ステーを介して前記チューナー本体を接地させたことを特徴とする請求項１若しくは請求項２に記載の車載用テレビチューナー。
【請求項４】
前記ステーを挿通するステーカバーを設けて、該ステーカバーに前記チューナー本体と前記プラグとを連結する電線を挿通したことを特徴とする請求項１乃至請求項３のいずれかに記載の車載用テレビチューナー。
【請求項５】
前記入力手段、前記出力手段及び前記選択手段を構成する回路基板を偏平箱形のケーシングに収納して、前記チューナー本体を形成し、該ケーシングの側面に前記選択手段を操作する操作部を配設したことを特徴とする請求項１乃至請求項４のいずれかに記載の車載用テレビチューナー。
【請求項６】
前記出力手段によって出力される映像及び音声が、有線を介して車内に設置されたモニタへ出力されるようにしたことを特徴とする請求項１乃至請求項５のいずれかに記載の車載用テレビチューナー。
【請求項７】
前記出力手段によって出力される映像及び音声が、無線を介して前記モニタへ出力されるようにしたことを特徴とする請求項１乃至請求項５のいずれかに記載の車載用テレビチューナー。
【発明の詳細な説明】
【技術分野】
【０００１】
本発明は、車載用のテレビチューナーに関し、特にデジタル通信方式のテレビジョン放送波を受信するものに関する。
【背景技術】
【０００２】
近年放送が開始されているデジタル通信方式によるテレビジョン放送は、ノイズや該ノイズに類する電波妨害に強いデジタルの特性から、従来のアナログテレビジョン放送と比べて、中継、増幅、伝送を複数回繰り返しても、該テレビジョン放送のデータに歪みや、ノイズが混入することが無い。
ここで、建物や山の影等で電波が遮られたり、或いはそのような場所で電波が乱反射すること等を原因として、車は移動中に電波妨害が発生しやすい。そのため、車載オーディオシステムでアナログテレビジョン放送を受信すると、ノイズがひどく、映像が乱れたり、放送が中断したりしていた。
そこで、該車載オーディオシステムをデジタル通信方式に対応したものに変更すれば、テレビジョン放送のデジタル化によってノイズが除去された鮮明な映像を得ることができる。
しかし、既設の車載オーディオシステムを、デジタル通信方式に対応したチューナーが搭載されたシステムに一括して入れ替えると、コストがかかり、負担が大きい。
そのため、デジタル通信方式のテレビジョン放送を視聴するために、既設の車載用モニタにデジタル通信方式に対応した車載用テレビチューナーを後付けすることが行われている。
【特許文献１】引用なし
【発明の開示】
【発明が解決しようとする課題】
【０００３】
しかしながら、上記の車載用テレビチューナーは、既設の車載オーディオシステムに後付けすることから、既に車載オーディオシステムが設置されているダッシュボード内に、該車載用テレビチューナーを取り付けることは困難である。そのため、取付場所は助手席側の足下や、グローブボックス内、或いはトランク内等に限られる。
そして、そのような場所に取り付けた場合、電源やアース接地の配線の取り回しが煩雑になることから、取付作業に手間がかかる。
また、後付けした車載用テレビチューナーは、既設のオーディオシステムとは別の操作手段を要し、例えば、リモコンを設けた場合、車載オーディオシステム用リモコンと、車載用テレビチューナーのリモコンとで操作の際に混乱が生じるおそれがある。
【０００４】
したがって、上記の課題を解決しようとする本発明は、容易に取り付けることができ、簡易な構成を有し、さらに、操作し易い任意の位置へ自在に配置することができる車載用テレビチューナーを提供することを目的とする。
【課題を解決するための手段】
【０００５】
請求項１に記載の車載用テレビチューナーは、受信したデジタル通信方式によるテレビジョン放送が入力される入力手段と、該テレビジョン放送を視聴可能に復号変換して出力する出力手段と、放送チャンネルを選択する選択手段とを設けたチューナー本体を備えた車載用テレビチューナーであって、前記チューナー本体を一端部で支持する可撓性のステーが設けられ、該ステーの他端部に、車内に設けられたシガレットライターソケットに嵌合される円筒形状のプラグが形成されたことを特徴とする。
【０００６】
請求項２に記載の車載用テレビチューナーは、請求項１に記載の発明において、前記ステーはアルミニウム合金からなる棒体又は管であることを特徴とする。
【０００７】
請求項３に記載の車載用テレビチューナーは、請求項１若しくは請求項２に記載の発明において、前記チューナー本体と前記プラグにそれぞれ接地端子を形成し、該両接地端子を前記ステーの両端部に接合し、該ステーを介して前記チューナー本体を接地させたことを特徴とする。
【０００８】
請求項４に記載の車載用テレビチューナーは、請求項１乃至請求項３のいずれかに記載の発明において、前記ステーを挿通するステーカバーを設けて、該ステーカバーに前記チューナー本体と前記プラグとを連結する電線を挿通したことを特徴とする。
【０００９】
請求項５に記載の車載用テレビチューナーは、請求項１乃至請求項４のいずれかに記載の発明において、前記入力手段、前記出力手段及び前記選択手段を構成する回路基板を偏平箱形のケーシングに収納して、前記チューナー本体を形成し、該ケーシングの側面に前記選択手段を操作する操作部を配設したことを特徴とする。
【００１０】
請求項６に記載の車載用テレビチューナーは、請求項１乃至請求項５のいずれかに記載の発明において、前記出力手段によって出力される映像及び音声が、有線を介して車内に設置されたモニタへ出力されるようにしたことを特徴とする。
【００１１】
請求項７に記載の車載用テレビチューナーは、請求項１乃至請求項５のいずれかに記載の発明において、前記出力手段によって出力される映像及び音声が、無線を介して前記モニタへ出力されるようにしたことを特徴とする。
【発明の効果】
【００１２】
請求項１に記載の車載用テレビチューナーによれば、該車載用テレビチューナーは、可撓性を有するステーの一端にチューナー本体を設け、該ステーの他端にシガレットライターソケットに嵌合されるプラグを設けて、前記ステーと前記チューナー本体と前記プラグとが一体化された簡易な構成を有することから、コストを抑えることができる。
そして、プラグをシガレットライターソケットに挿嵌することにより、該車載用テレビチューナーを容易に取り付けることができる。
また、車載用テレビチューナーはシガレットライターソケットに挿嵌したプラグから直接電源を得る。したがって、別途電源用に配線する作業を省くことができ、車載用テレビチューナーを容易に取り付けることができる。
さらに、可撓性を有するステーを設けたことにより、チューナー本体を操作し易い任意の位置へ自在に配置させることができる。
【００１３】
請求項２に記載の車載用テレビチューナーによれば、ステーをアルミニウム合金からなる棒体又は管に形成した。そのため、可撓性を有する該ステーは、合金の粘性によって撓められたままの形状で保持されることから、チューナー本体を操作し易い任意の位置へ自在に配置させることができる。
【００１４】
請求項３に記載の車載用テレビチューナーによれば、チューナー本体及びプラグに設けた接地端子をステー両端にそれぞれ接続したことにより、接地側の電線を省くことができる。そのため、車載用テレビチューナーの構成を簡易にすることができる。
【００１５】
請求項４に記載の車載用テレビチューナーによれば、ステーカバーに、ステーと電線を挿通させた。ここで、チューナー本体を操作し易い位置へ移動させたときに、撓められたステーと、チューナー本体及びプラグの間で垂れ下がった電線とがバラバラにならないように、ステーカバーはステーと電線とをまとめることができる。そのため、車載用テレビチューナーの見栄えを良くすることができる。
【００１６】
請求項５に記載の車載用テレビチューナーによれば、ケーシングの側面に操作部を配設した。そのため、リモコンを用いなくとも、チューナー本体を直接操作して放送チャンネルを選択することができる。
【００１７】
請求項６に記載の車載用テレビチューナーによれば、受信した映像及び音声を有線を介して出力するようにした。そのため、エンジンルームや、車内に設置された周辺の電子機器からのノイズが映像又は音声を構成する伝送波に混入しないことから、鮮明な映像を車載モニタに映し出すことができ、雑音の無い音声を車載オーディオシステムで再生することができる。
【００１８】
請求項７に記載の車載用テレビチューナーによれば、受信した映像及び音声を無線を介して出力するようにした。そのため、車載モニタの設置位置に関わらず、受信した映像及び音声を該車載モニタに出力することができる。
【実施例１】
【００１９】
本発明に係る実施例を添付した図にしたがって説明する。図１は、本実施例に係る車載用テレビチューナーを示した斜視図である。また、図２は、本実施例に係る車載用テレビチューナーの概略構成を示す断面図である。
【００２０】
車載用テレビチューナー１０は、チューナー本体１１と、ステー１２と、プラグ１３とからなる。
チューナー本体１１は、図２に示すように、扁平箱形のケーシング１５に回路基板２５を収納して形成されている。
該ケーシング１５は、前面に操作部１６が設けられ、該操作部１６は、選局キー１６ａ，１６ｂとサーチボタン１６ｃからなる。そして、上面には、デジタル通信方式のテレビジョン放送波を受信する伸縮式のアンテナ１８が形成され、左側面には、外部アンテナから出力されたデジタル通信方式によるテレビジョン放送が入力される外部アンテナ端子１９が形成されている。さらに、下面からケーブルを介して引き出されたビデオ出力端子１７が設けられ、該ビデオ出力端子１７は、映像出力端子１７ａと、音声出力端子１７ｂ，１７ｃとからなる。
なお、図２に示すように、ケーシング１５の下面には、ステー１２が嵌合固定されるステー受部２０が形成されている。
【００２１】
回路基板２５には、入力手段と出力手段が設けられている。
入力手段は、アンテナ１８で受信したデジタル通信方式によるテレビジョン放送、又は外部アンテナで受信し外部アンテナ端子１９に入力されたデジタル通信方式によるテレビジョン放送が入力される。一方、出力手段は、該テレビジョン放送を視聴可能に復号変換して、映像信号及び音声信号からなるビデオ出力信号を形成し、該映像信号をビデオ出力端子１７の映像出力端子１７ａから出力し、該音声信号をビデオ出力端子１７の音声出力端子１７ｂ，１７ｃから出力する。
また、回路基板２５には、電源端子２６と接地端子２７が形成されている。
電源端子２６は、シガレットライターソケットからプラグを介して１２Ｖの車載用電源が入力される。一方、接地端子２７は、ステー１２の端部に接続され、ステー１２及びプラグ１３を介して、回路基板２５をアースしている。
【００２２】
ステー１２は、可撓性を有するアルミニウム合金の棒体から形成されている。該アルミニウム合金は、撓められたままの形状で保持することができる。そのため、ステー１２を撓めることにより、チューナー本体１１を操作し易い任意の位置へ自在に配置させることができる。なお、ステー１２は、棒体に限定されるものではなく、管から形成しても良い。
そして、該ステー１２は、合成樹脂製のステーカバー１４に挿通されている。
ステーカバー１４は、蛇腹状の筒体に形成されている。なお、筒体は蛇腹状に限定されるものではなく、例えば、可撓性を有するゴムチューブ等を用いても良い。
【００２３】
また、ステー１２の一端には、チューナー本体に設けられた接地端子２７がネジ３６により接続され、該ステー１２の他端には、後述するプラグの接地端子３２がネジ３６により接続されている。これにより、ステー１２は、回路基板２５をアースする接地回路の一部を構成している。
【００２４】
プラグ１３は、絶縁性を有する合成樹脂製の略中空円筒体からなる。
該プラグ１２の上面開口部には、図２に示すように、ステー１２が嵌合固定されるステー受部３４が形成されている。
該プラグ１２の下面開口部にはバネによって付勢された電極３３ａが突出形成され、側面には導電体の板バネからなる電極３３ｂが突出形成されている。
電極３３ａは、シガレットライターソケットにプラグ１３が嵌合されたとき、シガレットライターソケットの電熱線部分に当接し、１２Ｖ若しくは２４Ｖの車載用電源が入力される。一方、電極３３ｂは、その嵌合されたときに、シガレットライターソケットの内壁に当接し、該内壁を介して車体へアースされる。
【００２５】
また図２に示すように、プラグ１３の中空部には、電源端子３０、ヒューズ３１、及び接地端子３２が収納されている。
電源端子３０は、ヒューズ３１の一端に設けられ、チューナー本体の電源端子２６は電線３５によって接続されている。該ヒューズ３１の他端は、電極３３ａに接続されている。
【００２６】
一方、接地端子３２は、電極３３ｂの上端に設けられ、ステー１２にネジ３６により接続されている。これにより、回路基板２５は、チューナー本体１１の接地端子２７から、ステー１２、プラグ１３の接地端子３２及び電極３３ｂを介して、車体にアースされている。
【００２７】
上記構成を有する車載用テレビチューナー１０は、以下のように使用される。
車載用テレビチューナー１０は、プラグ１３を車内に設けられたシガレットライターソケットに嵌合させて取り付けられる。
取り付けた車載用テレビチューナー１０は、アンテナ１８でデジタル通信方式によるテレビジョン放送を受信し、受信した該テレビジョン放送は、回路基板２５の入力手段に入力される。そして、出力手段において視聴可能に復号変換されてビデオ出力信号として出力される。
車載モニタを有する既設の車載オーディオシステムの外部入力にビデオ出力端子１７を接続して、所望する放送チャンネルを操作部１６の選局キー１６ａ，１６ｂ若しくはサーチボタン１６ｃで選択決定する。
これにより、車載モニタでデジタル通信方式によるテレビジョン放送を視聴することができる。
【００２８】
本実施例によれば、車載用テレビチューナー１０は、シガレットライターソケットに取り付けられて車載用電源で駆動する。そのため、既設の車載オーディオシステムの駆動用電源への配線作業を省くことができ、車載用テレビチューナー１０を容易に取り付けることができる。そして、そのように取り付けたとき、チューナー本体１１をダッシュボード手前の任意の位置で操作し易いように静止させておくことができる。
【００２９】
また、ビデオ出力端子１８を車載モニタを有する車載オーディオシステムの外部入力端子に有線接続することにより、デジタル通信方式によるテレビジョン放送のノイズの無い鮮明な映像を車載モニタに映し出すことができ、ノイズの無い鮮明な音声を車載オーディオシステムから出力することができる。
【００３０】
さらに、リモコンを設けずに、操作部１６の選局キー１６ａ，１６ｂ若しくはサーチボタン１６ｃが直接操作されるようにしたことから、誤作動を少なくすることができ、選局を容易に行うことができる。
【００３１】
ここで、本実施例においては、デジタル通信方式によるテレビジョン放送をアンテナ１８で受信している。しかしながら、安定した通信品質で受信したいときには、車体に別個の外部ダイバシティアンテナを設けて、該外部ダイバシティアンテナで受信したデジタル通信方式によるテレビジョン放送を外部アンテナ入力端子２０から回路基板２５の入力手段に入力することができる。
【実施例２】
【００３２】
第２実施例に係る車載用テレビチューナーを図３に基づいて説明する。
本実施例に係る車載用テレビチューナー１０Ａは、チューナー本体１１Ａと、ステー１２と、プラグ１３とからなる。ここで、ステー１２及びプラグ１３は第１実施例と同様に構成されている。そのため、説明を省略する。
【００３３】
チューナー本体１１Ａは、偏平箱形のケーシング１５に回路基板２５Ａを収納して形成されている。
ケーシング１５には、第１実施例と同様に、選択キー１６ａ，１６ｂ及びサーチボタン１７からなる操作部と、アンテナ１９と、外部アンテナ入力端子２０が設けられている。
【００３４】
そして、回路基板２５Ａには、第１実施例と同様に、入力手段が設けられている。
ここで、回路基板２５Ａの出力手段には、無線出力機能が設けられている。
該無線出力機能は、受信したテレビジョン放送を視聴可能に復号変換して形成した映像信号及び音声信号からなるビデオ出力信号を周波数帯域がＵＨＦ帯の電波に変換して出力する。変換されたＵＨＦ波は、ケーシング１５内の回路基板２５Ａ上に設けられた送信アンテナ４０から出力される。
【００３５】
上記構成を有する車載用テレビチューナーの取付方法及びテレビジョン放送の受信方法は、第１実施例と同様である。そのため、説明を省略する。
ここで、回路基板２５Ａの出力手段から出力されるビデオ出力信号は、送信アンテナからＵＨＦ帯域で送信される。該ＵＨＦ帯域の電波は従来のアナログ通信方式によるテレビジョン放送に用いられていることから、既設の車載オーディオシステムのテレビアンテナに受信させることができ、車載モニタにデジタル通信方式によるテレビジョン放送を映し出すことができる。
【００３６】
本実施例に係る車載用テレビチューナーによれば、車載モニタの設置場所に関わらず、デジタル通信方式によるテレビジョン放送を既設の車載テレビで視聴することができる。また、車載モニタ若しくは車載オーディオシステムに外部入力端子が無くても、従来のテレビアンテナを介して、デジタル通信方式によるテレビジョン放送を入力させることができる。
【００３７】
以上、第１実施例及び第２実施例に係る車載用テレビチューナーによれば、ステーの両端にそれぞれチューナー本体とプラグを固定して、一体化させた構造を有することから、簡易な構成によってコストを抑えることができる。
また、プラグを車内のシガレットライターソケットに挿嵌することにより、簡単に電源を確保することができ、かつ、容易に取り付けることができる。
【図面の簡単な説明】
【００３８】
【図１】第１実施例に係る車載用テレビチューナーを示す斜視図である。
【図２】第１実施例に係る車載用テレビチューナーの概略構成を示す概略断面図である。
【図３】第２実施例に係る車載用テレビチューナーを示す斜視図である。
【符号の説明】
【００３９】
１０，１０Ａ…車載用テレビチューナー、１１，１１Ａ…チューナー本体、１２…ステー、１３…プラグ、１４…ステーカバー、１５…ケーシング、
１６…操作部、１６ａ，１６ｂ…選局キー、１６ｃ…サーチボタン、１７…ビデオ出力端子、１７ａ…映像出力端子、１７ｂ，１７ｃ…音声出力端子、１８…アンテナ、１９…外部アンテナ入力端子、２０…チューナー本体側ステー受部、
２５，２５Ａ…回路基板、２６…チューナー本体側電源端子、２７…チューナー本体側接地端子、
３０…プラグ側電源端子、３１…ヒューズ、３２…プラグ側接地端子、３３ａ，３３ｂ…電極、３４…プラグ側ステー受部、
３５…電線、３６…ネジ、
４０…送信アンテナ。
【図１】
2010028518.tif 000003
【図２】
2010028518.tif 000004
【図３】
2010028518.tif 000005